(57)【特許請求の範囲】
【請求項１】
一端に開口を有し、水の中に少なくとも前記一端側が浸漬される吸水管と、
前記吸水管内に高圧水を噴射する噴射管と、を備え、
前記噴射管は、
前記吸水管内を前記一端側に向けて延びるパイプ部と、
一端に前記パイプ部の一端が接続され、他端側が前記吸水管の周面に取り付けられるエルボ形の連結部と、
前記パイプ部の他端に接続され、高圧水を噴射する噴射口を有するノズル部と、を備え、
前記噴射口は、前記吸水管内の前記一端側の空間に、前記開口とは反対側を向くように配置されている吸水装置。
【請求項２】
前記吸水管の一端には、端面から突き出る脚部が等間隔に複数設けられている請求項１に記載の吸水装置。
【請求項３】
前記連結部は、前記吸水管の他端側に取り付けられる請求項２に記載の吸水装置。
【発明の詳細な説明】
【技術分野】
【０００１】
本発明は、貯留・滞留している水を吸引して外部に排出する吸水装置に関する。
【背景技術】
【０００２】
従来から、槽や池などに貯留・滞留している水や、トンネルなどのコンクリート構造物と地山との間の空隙に貯留・滞留している水を吸引して外部に排出する吸水装置として、圧力水ポンプによる高圧水に空気を導入し、吸水管の周囲から空気及び高圧水を吸水管内に噴射することにより高効率に真空を発生させ、エジェクタ効果により水を吸水管の下端の開口から吸水管内に汲み上げて排出する混気ジェットポンプが知られている（例えば特許文献１を参照）。この混気ジェットポンプによれば、単位時間当たりの排水量が高く、効率よく水を外部に排出することができる。
【先行技術文献】
【特許文献】
【０００３】
【特許文献１】実用新案登録公報第２５６９４２４号公報
【発明の概要】
【発明が解決しようとする課題】
【０００４】
しかしながら、混気ジェットポンプのような吸水装置では、高圧水に空気を導入する必要があるので、装置が大掛かりになり、また装置が高価になるという問題がある。
【０００５】
本発明は、上記問題に着目してなされたものであり、高圧水のみを吸水管内に噴射するようにしても、単位時間当たりの排水量が高く、効率よく排水することが可能な吸水装置を提供することを目的とする。
【課題を解決するための手段】
【０００６】
本発明の上記目的は、一端に開口を有し、水の中に少なくとも前記一端側が浸漬される吸水管と、前記吸水管内に高圧水を噴射する噴射管と、を備え、前記噴射管は、前記吸水管内を前記一端側に向けて延びるパイプ部と、一端に前記パイプ部の一端が接続され、他端側が前記吸水管の周面に取り付けられるエルボ形の連結部と、前記パイプ部の他端に接続され、高圧水を噴射する噴射口を有するノズル部と、を備え、前記噴射口は、前記吸水管内の前記一端側の空間に、前記開口とは反対側を向くように配置されている吸水装置によって達成される。
【０００８】
上記構成の吸水装置において、前記吸水管の一端には、端面から突き出る脚部が等間隔に複数設けられていることが好ましい。
【０００９】
また、前記連結部は、前記吸水管の他端側に取り付けられることが好ましい。
【発明の効果】
【００１０】
本発明の吸水装置によれば、高圧水のみを吸水管内に噴射するようにしても、単位時間当たりの排水量が高く、効率よく排水することができる。
【図面の簡単な説明】
【００１１】
【図１】本発明の一実施形態に係る吸水装置の断面図である。
【図２】図１の吸水装置の上面図である。
【図３】図１の吸水装置の底面図である。
【図４】吸水管の正面図である。
【図５】パイプ部の正面図である。
【図６】連結部の断面図である。
【図７】図６の連結部の上面図である。
【図８】図６の連結部の底面図である。
【図９】図６の連結部の側面図である。
【図１０】パイプ部の断面図である。
【図１１】図１０のパイプ部の上面図である。
【図１２】図１０のパイプ部の側面図である。
【発明を実施するための形態】
【００１２】
図１は、本発明の一実施形態に係る吸水装置１の断面図であり、図２及び図３は図１の吸水装置の上面図及び底面図である。本実施形態の吸水装置１は、槽や池などに貯留・滞留している水や、トンネルなどのコンクリート構造物と地山との間の空隙に貯留・滞留している水（貯留水）を吸引して外部に排出するものであり、吸水管２と、噴射管３とを備えている。
【００１３】
吸水管２は、図１〜図４に示すように、所定の肉厚を有し、両端に開口を有する中空筒状のものであり、例えば合成樹脂製や金属製など、種々の材料で形成することができる。吸水管２は、少なくとも一端側が貯留水の中に浸漬されるように配置され、吸水管２の一端の開口２０は、吸入管２内に貯留水を吸い上げるための吸入口を構成する。吸水管２の他端の開口２１は、吸い上げた貯留水を搬送して外部に排出するために、他のパイプを接続するための接続口を構成する。吸水管２の内部は、吸い上げた貯留水の流路を構成する。
【００１４】
吸水管２の一端には、端面から突き出る脚部２２が等間隔に複数設けられている。本実施形態では、４つの脚部２２が周方向に９０度等間隔で設けられている。吸水管２を貯留水が貯留・滞留されている槽や池などに吸入口２０を下向きにして起立させたとき、各脚部２２が槽や池などの底に突き当たることで、隣り合う脚部２２の間のスリット２４より吸入口２０から吸水管２内に貯留水が流入可能である。
【００１５】
吸水管２の周面をなす管壁には、管壁を径方向に貫通する貫通孔２３が形成されている。この貫通孔２３は、噴射管３が取り付けられることで通常は止栓されて塞がれた状態となる。貫通孔２３は、吸水管２の他端側、つまりは、吸水管２を貯留水の中に起立させた際に水面上となる位置に形成されている。
【００１６】
噴射管３は、高圧水を噴射する噴射口３０を有し、吸水管２内に高圧水を噴射するものであり、噴射口３０が吸水管２内の一端側の空間に、吸入口２０とは反対側つまりは上側を向くように配置されている。よって、噴射口３０は、吸水管２を貯留水の中に起立させた際に水面下に位置する。
【００１７】
噴射管３は、本実施形態では、両端に開口を有するパイプ部３１と、両端に開口を有するエルボ形（断面視Ｌ字形）の連結部３２と、噴射口３０を有するノズル部３３とを備えている。パイプ部３１、連結部３２及びノズル部３３は、例えば合成樹脂製や金属製など、種々の材料で形成することができる。
【００１８】
パイプ部３１は、図１及び図５に示すように、吸水管２内を一端側（下側）に向けて延びるように配置されており、両端にテーパ形のプラグ部３１Ａ，３１Ｂを備えている。
【００１９】
連結部３２は、図１及び図６〜図９に示すように、一端側の開口に、パイプ部３１の一端のプラグ部３１Ａを着脱可能に結合するソケット部３２Ａが設けられており、プラグ部３１Ａ及びソケット部３２Ａの結合により連結部３２及びパイプ部３１が接続される。また、連結部３２の他端側は、管壁の根元付近が吸水管２の周面に形成された貫通孔２３に嵌め込まれることで、吸水管２に取り付けられている。連結部３２の他端側の開口（水供給口）３４には、図示しないポンプから延長される圧送管が取り付けられ、ポンプにより圧送された高圧水が圧送管を介して供給される。
【００２０】
ノズル部３３は、図１及び図１０〜図１２に示すように、上面に、パイプ部３１の他端のプラグ部３１Ｂを着脱可能に結合するソケット部３３Ｂが設けられており、プラグ部３１Ｂ及びソケット部３３Ｂの結合によりノズル部３３及びパイプ部３１が接続される。また、ノズル部３３の上面には、ソケット部３３Ｂの側方位置に、噴射口３０が設けられている。なお、ノズル部３３の側面にも開口が設けられているが、この開口は図示しないキャップにより塞がれている。
【００２１】
連結部３２、パイプ部３１及びノズル部３３の内部空間は互いに連通しており、連結部３２の他端側の水供給口３４から供給される高圧水が、連結部３２、パイプ部３１及びノズル部３３の内部空間を通って、ノズル部３３の上面の噴射口３０から吸水管２内に上向きに噴射される。パイプ部３１の長さは、ノズル部３３の噴射口３０が吸水管２内の一端側の空間に位置するような長さに設定されている。
【００２２】
上記構成の吸水装置１によると、槽や池など、水が貯留・滞留している箇所に吸水装置１を吸水管２の一端側の吸入口２０が水没した状態で設置した後、ポンプで加圧した高圧水を噴射管３に送り込む。ポンプから噴射管３に送り込まれてくる高圧水は、噴射管３内を通って吸水管２の一端側に導かれ、吸水管２内の一端側の空間に配置されている噴射口３０から吸水管２の他端側（上側）に向けて噴射される。噴射口３０から高圧水が連続的に吸水管２内に送り込まれると、吸水管２の内部が負圧（真空）状態となって吸水管２の吸水口２０において吸引力が発生し、吸水管２内に吸込水流が発生する。その結果、貯留水が吸水管２に設けられた各スリット２４から吸入口２０を通って吸水管２内に吸い込まれ、吸水管２内を通って外部に排出される。また、このとき、噴射口３０は貯留水中に位置し、水没した状態で開口しているので、高圧水は、貯留水を吸水管２の他端側（上側）に向けて吹き飛ばしながら噴射口３０から噴射される。よって、貯留水を効率よく外部に排出することができるので、噴射口３０が貯留水上に配置されている場合と比較して、単位時間当たりの排水量を高くすることができ、混気ジェットポンプのような大掛かりかつ高価な装置を用いなくても、混気ジェットポンプと同等の効率で貯留水の排出を行うことができる。例えば、塩化ビニル製で内径４０ｍｍ及び外径４８ｍｍの吸水管２に、ＳＵＳ製の噴射管３（パイプ部３１の長さ９０ｍｍ、内径６ｍｍ及び外径８ｍｍ、ノズル部３３の噴射口３０の径２．５ｍｍ）を図１に示すように取り付け、株式会社鶴見製作所製の高圧ポンプ（HPJ-37GE2）を用いて、５ＭＰａの圧力で高圧水を２０Ｌ／ｍｉｎで噴射管３に連続的に送り込み続けたところ、吸水管２から１分間で１８０Ｌ〜２００Ｌの水が排出された。このように、上記構成の吸水装置１では、単位時間当たりの排水量が高く、貯留水を効率よく排出できることが分かる。
【００２３】
以上、本発明の一実施形態について説明したが、本発明の具体的な態様は、上記実施形態に限定されるものではない。例えば、本実施形態では、噴射管３が、パイプ部３１、連結部３２及びノズル部３３の３つの別部材により構成されているが、同一の部材で構成されていてもよく、また、パイプ部３１及びノズル部３３が同一の部材で構成され、連結部３２だけ別部材で構成されていてもよい。
【００２４】
また、上記実施形態では、吸水管２の周面の他端側に噴射管３が取り付けられているが、噴射口３０が吸水管２内の一端側の空間に配置されて、貯留水中に水没するのであれば、噴射管３の吸水管２への取付方法は、いかなる方法を採用することができる。
【符号の説明】
【００２５】
１    吸水装置
２    吸水管
３    噴射管
２０  吸入口
２２  脚部
３０  噴射口
３１  パイプ部
３２  連結部
３３  ノズル部
【要約】
【課題】高圧水のみを吸水管内に噴射するようにしても、単位時間当たりの排水量が高く、効率よく排水することが可能な吸水装置を提供する。
【解決手段】吸水装置１は、一端に吸水口２０を有し、水の中に少なくとも一端側が浸漬される吸水管２と、吸水管２内に高圧水を噴射する噴射管３と、を備える。噴射管３は、高圧水を噴射する噴射口３０を有し、噴射口３０は、吸水管２内の一端側の空間に、吸水口２０とは反対側を向くように配置されている。
【選択図】図１【図１】
0005622957.tif 000002
【図２】
0005622957.tif 000003
【図３】
0005622957.tif 000004
【図４】
0005622957.tif 000005
【図５】
0005622957.tif 000006
【図６】
0005622957.tif 000007
【図７】
0005622957.tif 000008
【図８】
0005622957.tif 000009
【図９】
0005622957.tif 000010
【図１０】
0005622957.tif 000011
【図１１】
0005622957.tif 000012
【図１２】
0005622957.tif 000013